(57)【要約】【課題】情報提供者が提供する情報を要求する要求者に当該情報を提供する際の要求者の属性を示す属性情報を容易に取得すること。【解決手段】情報提供者が管理する情報提供者サーバ、および、前記情報提供者が提供する提供情報を要求する要求者が所持する要求者端末のそれぞれと通信接続される収集者装置を備える情報収集システムにおいて、前記提供情報を近距離通信手段により前記要求者端末に送信する近距離通信部と、当該要求者端末に前記提供情報を提供した際の要求者の属性を示す属性情報を取得する属性情報取得部と、前記属性情報に基づき、前記提供者が要求する属性情報に対応する要求属性情報を作成する要求属性情報作成部と、を備える。【選択図】図２
2013015938.tif 000002
【特許請求の範囲】
【請求項１】
情報提供者が管理する情報提供者サーバ、および、前記情報提供者が提供する提供情報を要求する要求者が所持する要求者端末のそれぞれと通信接続される収集者装置を備える情報収集システムにおいて、
前記提供情報を近距離通信手段により前記要求者端末に送信する近距離通信部と、
当該要求者端末に前記提供情報を提供した際の要求者の属性を示す属性情報を取得する属性情報取得部と、
前記属性情報に基づき、前記提供者が要求する属性情報に対応する要求属性情報を作成する要求属性情報作成部と、
を備えることを特徴とする情報収集システム。
【請求項２】
前記収集者装置は、
前記要求者端末に対して送信する情報の条件を示す提供条件情報と、前記提供情報とを対応付けて記憶する記憶部と
前記要求者が要求する情報の条件を示す要求条件情報を前記要求者端末から受信した場合、前記要求条件情報と前記提供条件情報とを比較して、前記要求条件情報が示す条件に対応する提供情報が前記記憶部に記憶されているか否かを判定する判定部と、
前記判定部によって前記要求条件情報が示す条件に対応する提供情報が前記記憶部に記憶されていると判定された場合、当該要求条件情報が示す条件に対応する提供情報を前記記憶部から読み出し、前記第近距離通信部を介して前記要求端末に送信する提供情報配信部と、
をさらに備えることを特徴とする請求項１に記載の情報収集システム。
【請求項３】
前記収集装置は、
前記要求者端末と近距離通信手段により通信接続される一次収集者端末と、
前記情報提供者サーバと遠距離通信手段により通信接続される二次収集者サーバとを含み、
前記一次収集者端末は、
前記近距離通信部と、属性情報取得部とを備え、
前記二次収集者サーバは、
前記要求属性情報作成部を備えることを特徴とする請求項１また２に記載の情報収集システム。
【請求項４】
前記二次収集者サーバは、
前記属性情報を遠距離通信手段により前記一次収集者端末から受信する遠距離通信部と、
前記属性情報に基づき、前記属性情報に含まれる情報の統計データを属性毎に作成する統計部と、をさらに備えることを特徴とする請求項３に記載の情報収集システム。
【請求項５】
情報提供者が管理する情報提供者サーバ、および、前記情報提供者が提供する提供情報を要求する要求者が所持する要求者端末のそれぞれと通信接続される収集者装置を備える情報収集システムにおける情報収集方法であって、
前記提供情報を近距離通信手段により前記要求者端末に送信するステップと、
当該要求者端末に前記提供情報を提供した際の要求者の属性を示す属性情報を取得するステップと、
前記属性情報に基づき、前記提供者が要求する属性情報に対応する要求属性情報を作成するステップと、
を備えることを特徴とする情報収集方法。
【請求項６】
情報提供者が管理する情報提供者サーバ、および、前記情報提供者が提供する提供情報を要求する要求者が所持する要求者端末のそれぞれと通信接続されるコンピュータを、
前記提供情報を近距離通信手段により前記要求者端末に送信する近距離通信手段、
当該要求者端末に前記提供情報を提供した際の要求者の属性を示す属性情報を取得する属性情報取得手段、
前記属性情報に基づき、前記提供者が要求する属性情報に対応する要求属性情報を作成する要求属性情報作成手段、として機能させるためのプログラム。
【発明の詳細な説明】
【技術分野】
【０００１】
本発明は、情報収集システム、情報収集方法、およびプログラムに関する。
【背景技術】
【０００２】
情報を提供する売り手側（例えば、メーカー）と、当該情報の提供を要求する買い手側（例えば、消費者）との間に介在して、情報提供者であるメーカーの情報を情報要求者である消費者の端末に配信するサービスがある。
例えば、検索サービスを利用する利用者の端末に、検索により得られた情報提供者の情報をネットワークを介して提供するシステムがある（例えば、特許文献１）。このシステムは、利用者がアクセスする回数に応じて情報提供者が提供する情報の価値を判定するものである。
【０００３】
また、このようなシステムを利用して、情報要求者である消費者が情報提供者であるメーカーについてＷｅｂ上で検索したログや、消費者がメーカーからの情報の配信を受けたログ等を取得することにより、メーカーに興味を持っていると予想される消費者の動向を観測することができる。この観測結果を集計したデータは、マーケティングの分野において重要な情報となる。例えば、消費者がメーカーから情報の提供を受けた環境（例えば、場所や時間）等を示す情報は、消費者のニーズや行動パターンを解析する上で特に重要な情報となる。
【先行技術文献】
【特許文献】
【０００４】
【特許文献１】特開２００３−３４５９１７号公報
【発明の概要】
【発明が解決しようとする課題】
【０００５】
しかしながら、上述のように、消費者がＷｅｂ上でメーカーについて検索したログを収集する手段等を用いる場合、そのログ情報が膨大になると、解析するためのサーバに係る処理負荷が極めて高くなる問題があった。
【０００６】
本発明は、上記の事情を考慮してなされたものであり、情報提供者が情報要求者に情報を提供する際の要求者の属性を示す属性情報を取得する装置に係る処理負荷を分散することができる情報収集システム、情報収集方法、およびプログラムを提供することを目的とする。
【課題を解決するための手段】
【０００７】
この発明は上述した課題を解決するためになされたもので、本発明の一態様による情報収集システムは、情報提供者が管理する情報提供者サーバ、および、前記情報提供者が提供する提供情報を要求する要求者が所持する要求者端末のそれぞれと通信接続される収集者装置を備える情報収集システムにおいて、前記提供情報を近距離通信手段により前記要求者端末に送信する近距離通信部と、当該要求者端末に前記提供情報を提供した際の要求者の属性を示す属性情報を取得する属性情報取得部と、前記属性情報に基づき、前記提供者が要求する属性情報に対応する要求属性情報を作成する要求属性情報作成部と、を備える。
【０００８】
また、上述の情報収集システムにおいて、前記収集者装置は、前記要求者端末に対して送信する情報の条件を示す提供条件情報と、前記提供情報とを対応付けて記憶する記憶部と、前記要求者が要求する情報の条件を示す要求条件情報を前記要求者端末から受信した場合、前記要求条件情報と前記提供条件情報とを比較して、前記要求条件情報が示す条件に対応する提供情報が前記記憶部に記憶されているか否かを判定する判定部と、前記判定部によって前記要求条件情報が示す条件に対応する提供情報が前記記憶部に記憶されていると判定された場合、当該要求条件情報が示す条件に対応する提供情報を前記記憶部から読み出し、前記第近距離通信部を介して前記要求端末に送信する提供情報配信部と、をさらに備える。
【０００９】
また、上述の情報収集システムにおいて、前記収集装置は、前記要求者端末と近距離通信手段により通信接続される一次収集者端末と、前記情報提供者サーバと遠距離通信手段により通信接続される二次収集者サーバとを含み、前記一次収集者端末は、前記近距離通信部と、属性情報取得部とを備え、前記二次収集者サーバは、前記要求属性情報作成部を備える。
【００１０】
また、上述の情報収集システムにおいて、前記二次収集者サーバは、前記属性情報を遠距離通信手段により前記一次収集者端末から受信する遠距離通信部と、前記属性情報に基づき、前記属性情報に含まれる情報の統計データを属性毎に作成する統計部と、をさらに備える。
【００１１】
この発明は上述した課題を解決するためになされたもので、本発明の一態様による情報収集方法は、情報提供者が管理する情報提供者サーバ、および、前記情報提供者が提供する提供情報を要求する要求者が所持する要求者端末のそれぞれと通信接続される収集者装置を備える情報収集システムにおける情報収集方法であって、前記提供情報を近距離通信手段により前記要求者端末に送信するステップと、当該要求者端末に前記提供情報を提供した際の要求者の属性を示す属性情報を取得するステップと、前記属性情報に基づき、前記提供者が要求する属性情報に対応する要求属性情報を作成するステップと、を備える。
【００１２】
この発明は上述した課題を解決するためになされたもので、本発明の一態様によるプログラムは、情報提供者が管理する情報提供者サーバ、および、前記情報提供者が提供する提供情報を要求する要求者が所持する要求者端末のそれぞれと通信接続されるコンピュータを、前記提供情報を近距離通信手段により前記要求者端末に送信する近距離通信手段、当該要求者端末に前記提供情報を提供した際の要求者の属性を示す属性情報を取得する属性情報取得手段、前記属性情報に基づき、前記提供者が要求する属性情報に対応する要求属性情報を作成する要求属性情報作成手段、として機能させるためのプログラムである。
【発明の効果】
【００１３】
本発明によれば、情報提供者が提供する情報を要求する要求者に当該情報を提供する際の要求者の属性を示す属性情報を容易に取得することができる。
【図面の簡単な説明】
【００１４】
【図１】本発明の一実施形態に係る情報収集システムの概要を示す図である。
【図２】本発明の一実施形態に係る情報収集システムの概要について説明するための図である。
【図３】本発明の一実施形態に係る情報提供者サーバの構成の一例を示す図である。
【図４】本発明の一実施形態に係る要求者端末の構成の一例を示す図である。
【図５】本発明の一実施形態に係る一次収集者端末の構成の一例を示す図である。
【図６】本発明の一実施形態に係る二次収集者サーバの構成の一例を示す図である。
【図７】本発明の一実施形態に係る情報収集方法の一例を示すシーケンス図である。
【図８】本発明の一実施形態に係る情報収集方法の一例を示すシーケンス図である。
【図９】本発明の一実施形態に係る情報収集方法の一例を示すシーケンス図である。
【発明を実施するための形態】
【００１５】
以下、図面を参照して本発明の一実施形態について説明する。図１は、本発明の一実施形態に係る情報収集システムの概要を示す図である。
図１に示す通り、本実施形態に係る情報収集システムは、情報提供者サーバ１００と、要求者端末２００と、一次収集者端末３００と、二次収集者サーバ４００とを備える。
情報提供者サーバ１００と、一次収集者端末３００と、二次収集者サーバ４００とは、それぞれネットワークＮＷを介して遠距離通信手段により接続されている。また、要求者端末２００と一次収集者端末３００とは、予め決められた通信エリアに双方が存在する場合、近距離通信手段により接続される。この遠距離通信手段としては、例えば、インターネット等が含まれる。また、近距離通信手段としては、例えば、Ｂｌｕｅｔｏｏｔｈ（登録商標）や無線ＬＡＮ（Ｌｏｃａｌ  Ａｒｅａ  Ｎｅｔｗｏｒｋ）等が含まれる。
【００１６】
この情報提供者サーバ１００は、提供情報αを提供する情報提供者Ａが管理するサーバである。この情報提供者Ａは、例えば、消費者に商品広告や来店情報等の提供情報αを提供するメーカーや流通業者等である。
要求者端末２００は、提供情報αを要求する要求者Ｂが所持する端末である。要求者Ｂは、例えば、情報提供者Ａからの提供情報αの配信を要求する消費者等である。
【００１７】
一次収集者端末３００は、一次収集者Ｃが所持する端末である。一次収集者Ｃが所持する一次収集者端末３００は、情報提供者Ａに代わって情報提供者Ａが管理する情報提供者サーバ１００からの提供情報αを近くにいる要求者Ｂが所持する要求者端末２００に配信するとともに、要求者Ｂに提供情報αを提供した際の要求者Ｂの属性を示す属性情報βを収集する装置である。この一次収集者Ｃが所持する一次収集者端末３００は、例えば、要求者Ｂに提供情報αを配信し、この要求者Ｂの属性情報βを収集して二次収集者Ｄに提供する。これにより、一次収集者端末３００を所持する一次収集者Ｃは、収集した属性情報βに応じた対価（以下、一次収集対価という）を受けることができる。この一次収集者端末３００は、情報提供者サーバ１００からの提供情報αを要求者端末２００に配信するとともに、当該要求者端末２００から収集した属性情報βを、二次収集者サーバ４００に送信する。なお、一次収集対価は、一次収集者Ｃと二次収集者Ｄとの間で予め決められた契約に基づく支払い方法に従って支払われる。本実施形態において、二次収集者Ｄは、二次収集者サーバ４００から一次収集者端末３００に対して一次収集対価の額を示す情報を送信することにより、当該一次収集対価を支払うことを一次収集者Ｃと約束する。
【００１８】
二次収集者サーバ４００は、二次収集者Ｄが管理するサーバである。二次収集者Ｄが管理する二次収集者サーバ４００は、情報提供者Ａが管理する情報提供者サーバ１００に代わって、一次収集者Ｃの所持する一次収集者端末３００が収集した属性情報βに基づき情報提供者Ａのニーズに応じた情報（以下、要求属性情報γ）を作成し、この要求属性情報γを情報提供者Ａが管理する情報提供者サーバ１００に提供する装置である。この二次収集者Ｄの二次収集者サーバ４００は、情報提供者Ａのニーズに応じた要求属性情報γを作成して、情報提供者Ａの情報提供者サーバ１００に提供する。これにより、二次収集者サーバ４００を管理する二次収集者Ｄは、収集した要求属性情報γに応じた対価（以下、二次収集対価という）を受けることができる。この二次収集者サーバ４００は、一次収集者端末３００から属性情報βを収集して統計処理をするとともに、統計結果から情報配信者Ａからのニーズに応じた要求属性情報γを作成し、情報配信サーバ１００に送信する。なお、二次収集対価は、二次収集者Ｄと情報提供者Ａの間で予め決められた契約に基づく支払い方法に従って支払われる。本実施形態において、情報提供者Ａは、情報提供者サーバ１００から二次収集者サーバ４００に対して二次収集対価の額を示す情報を送信することにより、当該二次収集対価を支払うことを二次収集者Ｄと約束する。
【００１９】
このようにして、本実施形態に係る情報収集システムを利用することにより、情報提供者Ａの提供情報αは、一次収集者Ｃが所持する一次収集者端末３００から要求者Ｂが所持する要求者端末２００に配信される。また、配信された際の属性情報βは、一次収集者Ｃが所持する一次収集者端末３００および二次収集者Ｄが管理する二次収集者サーバ４００によって収集され、情報提供者Ａが管理する情報提供者サーバ１００に提供される。これにより、情報提供者Ａが管理する情報提供者サーバ１００において、自身が提供情報αを配信し、属性情報βを収集する処理が省けるため、処理負荷を軽減することができる。また、二次収集者Ｄは、情報提供者Ａからの提供情報αを一次収集者Ｃが所持する一次収集者端末３００から要求者Ｂが所持する要求者端末２００に配信した際の属性情報βを二次収集者サーバ４００で収集して、情報提供者Ａの情報提供者サーバ１００に提供することにより、その対価を得ることができる。このようにして、提供情報αを要求者Ｂに配信するサービスを、以下、属性情報収集サービスという。
【００２０】
ここで、図２を参照して、本実施形態に係る情報収集システムの概要について、説明する。図２は、本実施形態に係る情報収集システムの概要について説明するための図である。
本実施形態に係る情報収集システムは、情報提供者Ａが管理する情報提供者サーバ１００が配信する提供情報αを、一次収集者Ｃが所持する一次収集者端末３００が、例えば、一次収集者Ｃとすれ違う要求者Ｂが所持する要求者端末２００に配信する（１）。そして、一次収集者端末３００は、要求者端末２００に提供情報αを配信した場合、この提供情報αを要求者端末２００に提供した際の要求者Ｂの属性を示す属性情報βを収集し（２）、二次収集者サーバ４００に送信する（３）。そして、二次収集者サーバ４００は、一次収集者端末３００が収集した属性情報βに基づき統計データを作成する（４）。この二次収集者サーバ４００は、属性情報βの統計結果から情報提供者Ａが要求している要求属性情報γを作成し（５）、作成した要求属性情報γを情報配信サーバ１００に送信する（６）。
【００２１】
属性情報βとは、一次収集者端末３００が要求者端末２００に提供情報αを提供した際の要求者Ｂの属性を示す情報である。例えば、この属性情報βは、一次収集者端末３００が要求者端末２００に提供情報αを提供した時刻を示す時刻情報や、一次収集者端末３００が要求者端末２００に提供情報αを提供した位置を示す位置情報を含む。また、属性情報βは、一次収集者端末３００が要求者端末２００から受信した要求者Ｂの性別や年齢等を示す情報を含む。さらに、属性情報βは、一次収集者端末３００が要求者端末２００に提供情報αを提供した際の温度、湿度、紫外線レベル等を示す情報を含むものであってもよい。
【００２２】
要求属性情報γとは、情報提供者Ａが要求している属性情報を示す情報である。例えば、この要求属性情報γは、提供情報αが要求されたエリアの順位を示す統計結果のうち上位５位を示す情報や、提供情報αが要求された件数と時間との関係を示す情報等を含む。
【００２３】
なお、本実施形態において、一次収集者端末３００は、要求者Ｂが要求している提供情報αを保持している場合のみ、要求者Ｂが要求する提供情報αを要求者端末２００に送信する。ここで、要求者Ｂ１、Ｂ２、Ｂ３が、要求者端末２００＿１、２００＿２、２００＿３をそれぞれ所持している場合を例に説明する。要求者端末２００＿１には、要求者Ｂ１が要求する情報の条件を示す要求条件情報Ｘ１が、要求者端末２００＿２には、要求者Ｂ２が要求する情報の条件を示す要求条件情報Ｘ２が、要求者端末２００＿３には、要求者Ｂ３が要求する情報の条件を示す要求条件情報Ｘ３が、それぞれ登録されている。一方、一次収集者端末３００には、一次収集者Ｃが要求者端末２００に対して送信する情報の条件を示す提供条件情報Ｙ１と提供条件情報Ｙ２とが、登録されている。なお、要求条件情報Ｘ１と提供条件情報Ｙ１、要求条件情報Ｘ２と提供条件情報Ｙ２は、それぞれ同じ内容を含む情報である。
この場合、一次収集者端末３００は、要求者端末２００＿１に対して提供条件情報Ｙ１と対応付けられた提供情報α１を送信し、要求者端末２００＿２に対して提供条件情報Ｙ２と対応付けられた提供情報α２を送信する。また、一次収集者端末３００は、要求者端末２００＿３に対して提供情報αを送信しない。
このようにして、一次収集者Ｃと要求者Ｂ１〜Ｂ３とが、それぞれ、近距離通信が可能な通信エリアに存在し、かつ、登録されている提供条件情報と要求条件情報とがそれぞれ一致している場合に、要求者端末２００は、提供情報αを受信することができる。
【００２４】
また、情報提供者Ａが管理する情報提供者サーバ１００は、二次収集者サーバ４００から要求属性情報γを受信した場合、この要求属性情報γに対応する二次収集対価の額を示す情報（以下、二次収集対価額情報という）を二次収集者サーバ４００に送信する。この二次収集対価は、例えば、要求属性情報γに基づく統計結果の全体数や、統計対象エリア等に応じて、予め決められている。
さらに、二次収集者Ｄが管理する二次収集者サーバ４００は、一次収集者端末３００が収集した属性情報βに対応する一次収集対価の額を示す情報（以下、一次収集対価額情報という）を一次収集者端末３００に送信する。この一次収集対価は、例えば、一次収集者端末３００が収集した属性情報βの数や種類、配信した提供情報αの数や種類、配信エリア等に応じて、予め決められている。なお、一次収集対価は、二次収集対価の中から支払われる対価であってもよい。
【００２５】
次に、図３を参照して、情報提供者サーバ１００の構成について説明する。図３は、情報提供者サーバ１００の構成の一例を示す図である。
図３に示す通り、情報提供者サーバ１００は、制御部１０１と、通信制御部１０２と、遠距離通信部１０３と、入力部１０４と、記憶部１０５とを備える。
【００２６】
通信制御部１０２は、ネットワークＮＷを介して、一次収集者端末３００および二次収集者サーバ４００のそれぞれとのデータ通信を制御する。この通信制御部１０２は、一次収集者端末３００や二次収集者サーバ４００から受信した情報に基づき、情報の送信元を示す情報を取得する。通信制御部１０２は、この送信元を示す情報に基づき、送信された情報に対応する情報を送信元に送信する。
遠距離通信部１０３は、通信制御部１０２の制御に基づき、ネットワークＮＷを介して、一次収集者端末３００および二次収集者サーバ４００のそれぞれとのデータ通信を行う。
入力部１０４は、情報提供者Ａ等によって入力される情報を入力する。例えば、入力部１０４は、情報提供者Ａが提供する提供情報αのデータを入力し、記憶部１０５に記憶させる。
記憶部１０５は、情報提供者サーバ１００が利用する種々の情報を記憶し、例えば、情報提供者Ａが提供する提供情報αを記憶する。
【００２７】
制御部１０１は、提供情報配信部１１１と、登録部１１２と、対価算定部１１３とを備える。
提供情報配信部１１１は、情報提供者Ａの提供情報αを記憶部１０５から読み出し、通信制御部１０２対して、一次収集者端末３００に送信するよう指示する。なお、送信先の一次収集者端末３００は、二次収集者サーバ４００が提供する属性情報収集サービスを利用する一次収集者端末３００として、予め記憶部１０５に登録されている一次収集者端末３００である。なお、提供情報配信部１１１は、一次収集者端末３００を所持する一次収集者Ｃの居住地や現在地、あるいは、一次収集者Ｃの年齢や性別等に応じて、一次収集者端末３００に送信する提供情報αを選択するものであってもよい。
登録部１１２は、入力部１０４を介して、情報提供者Ａがほしい属性情報βの条件（以下、要求属性条件という）を情報提供者Ａから受け付け、この要求属性条件を示す要求属性条件情報Ｚを記憶部１０５に格納する。
対価算定部１１３は、二次収集者サーバ４００から受信した情報に基づき、二次収集対価の額を算定する。この対価算定部１１３は、二次収集対価の額を示す二次収集対価額情報を通信制御部１０２に出力する。なお、二次収集対価の額は、例えば、情報提供者Ａが要求する属性情報の統計エリアや統計数に応じて予め決められている。
【００２８】
次に、図４を参照して、要求者端末２００の構成について説明する。図４は、要求者端末２００の構成の一例を示す図である。
図４に示す通り、要求者端末２００は、制御部２０１と、通信制御部２０２と、近距離通信部２０３と、電源制御部２０５と、電源２０６と、タッチパネル２０７と、記憶部２０８とを備える。タッチパネル２０７は、操作部２７１と表示部２７２とを備える。
【００２９】
通信制御部２０２は、近距離通信部２０３による一次収集者端末３００とのテータ通信を制御する。この通信制御部２０２は、近距離通信部２０３を介して近距離通信用の電波を発信する。
近距離通信部２０３は、通信制御部１０２の制御に基づき、一次収集者端末３００と近距離無線通信を行う。
電源制御部２０５は、電源２０６から供給される電力を要求者端末２００の各構成部に供給する。
電源２０６は、例えば充電電力を蓄える電池であって、電源制御部２０５の制御に従って充電電力を要求者端末２００に供給する。
【００３０】
タッチパネル２０７は、操作部２７１と、表示部２７２とを備える。操作部２７１は、操作者からの操作入力を受け付け、操作内容を示す操作情報を出力する。表示部２７２は、制御部２０１の制御に従って、例えば、提供情報αを表示する。
記憶部２０８は、要求者端末２００が利用する種々の情報を記憶し、例えば、要求者Ｂの年齢や性別を示す属性情報βを記憶する。
【００３１】
制御部２０１は、登録部２１１と、属性情報取得部２１２とを備える。
登録部２１１は、操作部２７１を介して入力される登録内容を、登録情報として記憶部２０８に格納する。この登録部２１１は、例えば、要求者Ｂが要求する提供情報αの条件を示す要求条件情報Ｘを、登録情報として記憶部２０８に格納する。この要求条件情報Ｘとしては、例えば、要求者Ｂが興味のあるジャンルやショップの名前、現在いる場所や、よく行く場所、いつも利用している通勤路等を示す情報を含む。
【００３２】
属性情報取得部２１２は、一次収集者端末３００から提供情報αを受信した場合、記憶部２０８に要求者Ｂを示す属性情報βが記憶されているか否かを判定する。この属性情報取得部２１２は、記憶部２０８に属性情報βが記憶されている場合、記憶部２０８から属性情報βを読み出し、通信制御部２０２に出力する。
【００３３】
次に、図５を参照して、一次収集者端末３００の構成について説明する。図５は、一次収集者端末３００の構成の一例を示す図である。
図５に示す通り、一次収集者端末３００は、制御部３０１と、通信制御部３０２と、近距離通信部３０３と、遠距離通信部３０４と、電源制御部３０５と、電源３０６と、タッチパネル３０７と、記憶部３０８と、属性情報検出部３０９とを備える。
【００３４】
通信制御部３０２は、近距離通信部３０３による要求者端末２００とのテータ通信を制御するとともに、遠距離通信部３０４による情報提供者サーバ１００および二次収集者サーバ４００のそれぞれとのデータ通信を制御する。この通信制御部３０２は、近距離通信部３０３を介して要求者端末２００から送信される近距離通信用の電波を受信したか否かを判定する。近距離通信用の電波を受信した場合、通信制御部３０２は、近距離通信が可能な通信エリアに要求者端末２００があると判定する。また、通信制御部３０２は、遠距離通信部３０４を介して情報提供者サーバ１００や二次収集者サーバ４００から受信した情報に基づき、情報の送信元を示す情報を取得する。通信制御部３０２は、この送信元を示す情報に基づき、送信された情報に対応する情報を送信元に送信する。
近距離通信部３０３は、通信制御部３０２の制御に基づき、要求者端末２００と近距離無線通信を行う。
遠距離通信部３０４は、通信制御部３０２の制御に基づき、ネットワークＮＷを介して、情報提供者サーバ１００および二次収集者サーバ４００のそれぞれとのデータ通信を行う。
【００３５】
電源制御部３０５は、電源３０６から供給される電力を一次収集者端末３００の各構成部に供給する。
電源３０６は、例えば充電電力を蓄える電池であって、電源制御部３０５の制御に従って充電電力を一次収集者端末３００に供給する。
タッチパネル３０７は、操作部３７１と、表示部３７２とを備える。操作部３７１は、操作者からの操作入力を受け付け、操作内容を示す操作情報を出力する。表示部３７２は、制御部３０１の制御に従って、例えば、提供情報αを表示する。
記憶部３０８は、一次収集者端末３００が利用する種々の情報を記憶し、例えば、提供情報αを記憶する。
【００３６】
属性情報検出部３０９は、位置情報取得部３９１と、計時部３９２と、温度センサ３９３と、湿度センサ３９４と、紫外線センサ３９５とを備える。
位置情報取得部３９１は、一次収集者端末３００の現在の位置を示す位置情報を取得し、制御部３０１に出力する。この位置情報取得部３９１は、例えば、ＧＰＳ（Ｇｌｏｂａｌ Ｐｏｓｉｔｉｏｎｉｎｇ Ｓｙｓｔｅｍ）等の受信機を備え、位置情報を受信する。
計時部３９２は、現在の時刻を示す時刻情報を取得し、制御部３０１に出力する。
温度センサ３９３は、現在の温度を示す温度情報を取得し、制御部３０１に出力する。
湿度センサ３９４は、現在の湿度を示す湿度情報を取得し、制御部３０１に出力する。
紫外線センサ３９５は、現在の紫外線量の程度を示す紫外線レベル情報を取得し、制御部３０１に出力する。
【００３７】
制御部３０１は、登録部３１１と、判定部３１２と、属性情報取得部３１３と、対価算定情報作成部３１４と、一次収集部３１５とを備える。
登録部３１１は、操作部３７１を介して入力される登録内容を、登録情報として記憶部３０８に格納する。この登録部３１１は、例えば、要求者端末２００に提供可能な提供情報αの条件を示す提供条件情報Ｙを、登録情報として記憶部３０８に格納する。この提供条件情報Ｙとしては、例えば、提供情報αを提供する情報提供者Ａの名称やカテゴリーや、提供情報αが示す内容、あるいは、提供情報αを配信する対象エリアや対象者等が予め決められている場合はこの対象エリアや対象者等を示す情報を含む。登録部３１１は、例えば、記憶部３０８に記憶されている提供情報αに基づき、この提供情報αを示すキーワードを抽出し、抽出したキーワードを提供条件情報Ｙとして登録する。また、記憶部３０８に格納されている提供情報αに対して、対応する提供条件情報Ｙが予め付与されているものであってもよい。
【００３８】
判定部３１２は、要求者端末２００に登録されている要求条件情報Ｘと、一次収集者端末３００に登録されている提供条件情報Ｙとを比較して、要求者端末２００が要求する提供情報αが記憶部３０８に格納されているか否かを判定する。この判定部３１２は、例えば、要求条件情報Ｘと提供条件情報Ｙとが一致した場合、要求者端末２００が要求する提供情報αが記憶部３０８に格納されていると判定し、この提供条件情報Ｙと対応付けられている提供情報αを要求者端末２００に配信する提供情報αと決定する。
【００３９】
属性情報取得部３１３は、提供情報αを要求者端末２００に提供した際の属性情報βを取得する。例えば、属性情報取得部３１３は、提供情報αを要求者端末２００に提供した位置を示す位置情報を属性情報βとして位置情報取得部３９１から取得する。また、属性情報取得部３１３は、提供情報αを要求者端末２００に提供した時刻を示す時刻情報を属性情報βとして計時部３９２から取得する。さらに、属性情報取得部３１３は、提供情報αを要求者端末２００に提供したときの温度を示す温度情報を属性情報βとして温度センサ３９３から、湿度を示す湿度情報を属性情報βとして湿度センサ３９４から、紫外線レベルを示す紫外線情報を属性情報βとして紫外線センサ３９５から、それぞれ取得する。
【００４０】
対価算定情報作成部３１４は、予め決められている項目に基づき、一次収集対価を算定するために対価を算定するための評価条件を示す情報（以下、一次収集対価算定情報ｊという）を作成する。例えば、対価算定情報作成部４１４は、一次収集者端末３００が収集した属性情報βの数や種類、配信した提供情報αの数や種類、配信エリア等を示す一次収集対価算定情報ｊを作成する。そして、対価算定情報作成部３１４は、作成した一次収集対価算定情報ｊを記憶部３０８に格納する。
【００４１】
一次収集部３１５は、予め決められた一次収集タイミングに到達したか否かを判定する。この一次収集部３１５は、一次収集タイミングに到達したと判定した場合、記憶部３０８から、それぞれ対応付けられている属性情報βと提供情報αと一次収集対価算定情報ｊとを読み出し、通信制御部３０２に出力する。なお、一次収集部３１５は、読み出した属性情報βと提供情報αと一次収集対価算定情報ｊを、二次収集者サーバ４００に送信するように制御する。この一次収収集タイミングは、一次収集者端末３００から二次収集者サーバ４００に属性情報を送信するタイミングであって、予め決められている。
【００４２】
次に、図６を参照して、二次収集者サーバ４００の構成について説明する。図６は、二次収集者サーバ４００の構成の一例を示す図である。
図６に示す通り、二次収集者サーバ４００は、制御部４０１と、通信制御部４０２と、遠距離通信部４０３と、入力部４０４と、記憶部４０５とを備える。
【００４３】
通信制御部４０２は、ネットワークＮＷを介して、情報提供者サーバ１００および一次収集者端末３００のそれぞれとのデータ通信を制御する。この通信制御部４０２は、情報提供者サーバ１００や一次収集者端末３００から受信した情報に基づき、情報の送信元を示す情報を取得する。通信制御部４０２は、この送信元を示す情報に基づき、送信された情報に対応する情報を送信元に送信する。
遠距離通信部４０３は、通信制御部４０２の制御に基づき、ネットワークＮＷを介して、情報提供者サーバ１００および一次収集者端末３００のそれぞれとのデータ通信を行う。
入力部４０４は、二次収集者Ｃ等によって入力される情報を入力する。
記憶部４０５は、二次収集者サーバ４００が利用する種々の情報を記憶する。
【００４４】
制御部４０１は、二次収集部４１１と、統計部４１２と、要求属性情報作成部４１３と、対価算定情報作成部４１４と、対価算定部４１５とを備える。
二次収集部４１１は、一次収集者端末３００から受信した属性情報βと提供情報αと一次収集対価算定情報ｊとをそれぞれを対応付けて、記憶部４０５に格納する。また、二次収集部４１１は、情報提供者サーバ１００から受信した要求属性条件情報Ｚを提供情報αと対応付けて記憶部４０５に格納する。
【００４５】
統計部４１２は、予め決められた二次収集タイミングに到達したか否かを判定する。二次収集タイミングに到達したと判定した場合、統計部４１２は、統計処理を実行する。なお、二次収集タイミングとは、本実施形態に係る属性情報収集サービスの利用者として予め契約等をしている一次収集者Ｃの一次収集者端末３００から、属性情報βを収集する期間が経過したタイミングである。この二次収集タイミングは、例えば、属性情報収集サービスの開始時点から予め決められた期間が経過したとき、あるいは、予め決められた日時を経過したとき等である。
また、統計処理とは、統計部４１２が、記憶部４０５に記憶されている情報に基づき、一次収集者端末３００から収集した属性情報βを、情報提供者Ａの情報提供者サーバ１００が提供する提供情報αごとに統計データを作成する処理である。例えば、統計部４１２は、それぞれ対応付けられている属性情報βと提供情報αとを読み出し、属性情報βに含まれる各項目（位置、時刻、温度、湿度、紫外線レベル、要求者Ｂの性別や年齢等）ごとに、収集した属性情報βの傾向を示す統計データを取得する。具体的に説明すると、統計部４１２は、属性情報βが収集された数が多い順番を項目ごとに示す情報や、エリアや時間帯に応じて収集された属性情報βの数等を統計データとして得る。
【００４６】
要求属性情報作成部４１３は、統計部４１２が統計処理をした提供情報αに対応する要求属性条件情報Ｚが記憶部４０５に登録されているか否かを判定する。統計処理の対象である提供情報αに対応する要求属性条件情報Ｚが記憶部４０５に登録されている場合、要求属性情報作成部４１３は、この要求属性条件情報Ｚが示す条件に従って、統計データに基づき、要求属性情報γを作成する。
【００４７】
対価算定情報作成部４１４は、予め決められている項目に基づき、二次収集対価を算定するために対価を算定するための評価条件を示す情報を示す情報（以下、二次収集対価算定情報ｋという）を作成する。例えば、対価算定情報作成部４１４は、二次収集対価算定情報ｋとして、要求属性情報γに基づく属性情報βの全配信数や統計対象エリア等を示す情報を作成する。対価算定情報作成部４１４は、作成した二次収集対価算定情報ｋを通信制御部４０２に出力する。
対価算定部４１５は、一次収集者端末３００から受信した一次収集対価算定情報ｊに基づき、一次収集対価の額を算定する。この対価算定部４１５は、一次収集対価の額を示す情報（以下、一次収集対価額情報Ｊという）を通信制御部４０２に出力する。
【００４８】
次に、図７〜９を参照して、本実施形態に係る情報収集方法の一例について説明する。本実施形態に係る情報収集方法において、例えば、○○ハンバーガーショップである情報提供者Ａ１０が、一般消費者である要求者Ｂに対して、○○ハンバーガーショップの商品広告である提供情報α１０を配信する。なお、一次収集者Ｃと二次収集者Ｄとは、属性情報収集サービスの提携者として情報提供者Ａ１０である○○ハンバーガーショップと契約している。
図７は、本実施形態に係る情報収集方法の一例について説明するためのシーケンス図である。
（ステップＳＴ１）
はじめに、要求者Ｂは、要求者端末２００に対して、要求する提供情報αの条件を示す要求条件情報Ｘを登録する。例えば、要求者Ｂは、要求条件として、○○ハンバーガーショップに関する情報を要求することを登録する。
例えば、要求者Ｂからの要求条件として、“○○ハンバーガーショップ”を示す情報が操作部２７１を介して入力されると、登録部２１１は、要求条件情報Ｘとして、“○○ハンバーガーショップ”を記憶部２０８に格納する。
【００４９】
（ステップＳＴ２）
一方、一次収集者Ｃは、一次収集者端末３００の操作部３７１を介して、例えば、情報配信サーバ１００に要求する提供情報αを指定する。例えば、一次収集者Ｃが、一次収集者Ｃから操作部３７１を介して“○○ハンバーガーショップ”に関する提供情報αの配信を要求した場合、一次収集者端末３００は、操作部３７１から出力される操作情報に基づき、○○ハンバーガーショップである情報提供者Ａ１０の情報配信サーバ１００に対して、○○ハンバーショップの提供情報αの配信を要求する情報を送信する。そして、○○ハンバーガーショップである情報提供者Ａ１０の情報配信サーバ１００は、○○ハンバーガーショップの商品広告を示す提供情報α１０を一次収集者端末３００に送信する。この一次収集者端末３００は、○○ハンバーガーショップの商品広告を示す提供情報α１０を記憶部３０８に記憶する。
（ステップＳＴ３）
そして、一次収集者端末３００の登録部３１１は、記憶部３０８に記憶されている提供情報α１０に基づき、この提供情報α１０を示すキーワードを抽出し、要求者端末２００に対して送信する提供情報α１０の条件を示す提供条件情報Ｙとして登録する。例えば、一次収集者端末３００の登録部３１１は、提供条件として、提供情報α１０を示すキーワード“○○ハンバーガーショップ”の文字列を提供情報α１０から抽出し、この“○○ハンバーガーショップ”を提供条件情報Ｙとして、記憶部３０８に登録する。
【００５０】
（ステップＳＴ４）
次いで、一次収集者端末３００の通信制御部３０２は、近距離通信が可能な通信エリアに要求者端末２００があるか否かを判定する。例えば、一次収集者端末３００の通信制御部３０２は、近距離通信部３０３を介して要求者端末２００から送信される近距離通信用の電波を受信したか否かを判定する。
（ステップＳＴ５）
一次収集者端末３００の通信制御部３０３は、要求者端末２００から近距離通信用の電波を受信したと判定した場合、この要求者端末２００に対して、要求条件情報の送信を要求する。
【００５１】
（ステップＳＴ６）
そして、要求者端末２００の近距離通信部２０３は、一次収集者端末３００から要求条件情報の送信を要求することを示す情報を受信し、制御部２０１に出力する。要求者端末２００の制御部２０１は、要求条件情報の送信を要求することを示す情報を受信すると、記憶部２０８に記憶されている要求条件情報Ｘを読み出し、通信制御部２０２に出力する。そして、通信制御部２０２は、近距離通信部２０３を介して、要求条件情報Ｘを一次収集者端末３００に送信する。
（ステップＳＴ７）
一次収集者端末３００の近距離通信部３０３は、要求条件情報Ｘを受信し、制御部３０１の判定部３１２に出力する。この判定部３１２は、この受信した要求条件情報Ｘと、記憶部３０８に記憶されている提供条件情報Ｙとを比較する。
（ステップＳＴ８）
そして、一次収集者端末３００の判定部３１２は、要求者端末２００からの要求条件情報Ｘと、記憶部３０８に記憶されている提供条件情報Ｙとが一致するか否かを判定する。ここで、要求条件情報Ｘは、“○○ハンバーガーショップ”であり、提供条件情報Ｙは、“○○ハンバーガーショップ”である。よって、判定部３１２は、要求条件情報Ｘと提供条件情報Ｙとが一致していると判定する。
【００５２】
（ステップＳＴ９）
この要求条件情報Ｘと提供条件情報Ｙとが一致する場合、一次収集者端末３００の判定部３１２は、記憶部３０８に記憶されている提供情報テーブルを参照して、要求条件情報Ｘと一致する提供条件情報Ｙと対応付けられている提供情報α１０を読み出し、通信制御部３０２に出力する。そして、通信制御部３０２は、近距離通信部３０３を介して、読み出した提供情報α１０を要求者端末２００に送信する。
（ステップＳＴ１０）
そして、一次収集者端末３００の属性情報取得部３１３は、提供情報α１０を要求者端末２００に提供した際の属性情報β１０を取得する。例えば、属性情報取得部３１３は、提供情報α１０を要求者端末２００に提供した位置を示す位置情報β１１を位置情報取得部３９１から取得する。また、属性情報取得部３１３は、提供情報α１０を要求者端末２００に提供した時刻を示す時刻情報β１２を計時部３９２から取得する。さらに、属性情報取得部３１３は、提供情報α１０を要求者端末２００に提供したときの温度を示す温度情報β１３を温度センサ３９３から、湿度を示す湿度情報β１４を湿度センサ３９４から、紫外線レベルを示す紫外線情報β１５を紫外線センサ３９５から、それぞれ取得するものであってもよい。なお、位置情報β１１と、時刻情報β１２と、温度情報β１３と、湿度情報β１４と、紫外線情報β１５とは、属性情報β１０に含まれる情報である。
一次収集者端末３００の属性情報取得部３１３は、提供情報α１０を要求者端末２００に提供した際の属性情報β１０を取得した場合、この属性情報β１０と提供情報α１０とを対応付けて記憶部３０８に記憶させる。
【００５３】
（ステップＳＴ１１）
一方、要求者端末２００の属性情報取得部２１２は、一次収集者端末３００から提供情報α１０を受信した場合、記憶部２０８に要求者Ｂを示す属性情報βが記憶されているか否かを判定する。この記憶部２０８には、例えば、要求者Ｂの性別と年齢を示す属性情報β１６が記憶されている。
（ステップＳＴ１２）
要求者端末２００の属性情報取得部２１２は、記憶部２０８に属性情報β１６が記憶されている場合、記憶部２０８から属性情報β１６を読み出し、通信制御部２０２に出力する。そして、通信制御部２０２が、近距離通信部２０３を介して、一次収集者端末３００に属性情報β１６を送信する。
【００５４】
（ステップＳＴ１３）
一次収集者端末３００の属性情報取得部３１３は、要求者端末２００から属性情報β１６を受信した場合、この属性情報β１６と提供情報α１０とを対応付けて記憶部３０８に記憶させる。ここで、記憶部３０８には、位置情報β１１と、時刻情報β１２と、温度情報β１３と、湿度情報β１４と、紫外線情報β１５とを含む属性情報β１０、および属性情報β１６が、提供情報α１０と対応付けられて記憶されている。
（ステップＳＴ１４）
また、一次収集者端末３００の対価算定情報作成部３１４は、予め決められている項目に基づき、一次収集対価を示す一次収集対価算定情報ｊを作成する。例えば、対価算定情報作成部３１４は、ステップＳＴ１０あるいはＳＴ１３のうち少なくとも１つのステップにおいて、一次収集者端末３００が収集した属性情報βの数や種類、配信した提供情報α１０の配信数や種類、配信エリア等を示す一次収集対価算定情報ｊを作成する。そして、対価算定情報作成部３１４は、作成した一次収集対価算定情報ｊを、ステップＳＴ１０あるいはＳＴ１３のうち少なくとも１つのステップにおいて取得した属性情報β１０あるいはβ１６と対応付けて記憶部３０８に格納する。例えば、ステップＳＴ１０において、位置情報と時刻情報とが取得され、ステップＳＴ１３において、要求者Ｂの年齢と性別を示す情報が取得されたとする。この場合、対価算定情報作成部３１４は、位置情報に１ポイント、時刻情報に１ポイント、要求者Ｂの年齢を示す情報に１ポイント、要求者Ｂの性別を示す情報に１ポイントを、それぞれ付与する。つまり、対価算定情報作成部３１４は、一次収集対価算定情報ｊとして、４ポイントを示す情報を作成する。
【００５５】
（ステップＳＴ１５）
次いで、一次収集者端末３００の一次収集部３１５は、予め決められた一次収集タイミングに到達したか否かを判定する。この一次収集部３１４は、例えば、予め決められた時刻に到達した場合、一次収集タイミングに到達したと判定する。
【００５６】
次に、図８を参照して、図７に示す情報収集方法の続きについて説明する。図８は、図７に示す情報収集方法の続きについて説明するためのシーケンス図である。
（ステップＳＴ１６）
一次収集者端末３００の一次収集部３１４は、一次収集タイミングに到達したと判定した場合、記憶部３０８から、それぞれ対応付けられている属性情報β１０、β１６と提供情報α１０と一次収集対価算定情報ｊとを読み出し、通信制御部３０２に出力する。そして、通信制御部３０２は、提供情報α１０の属性情報β１０、β１６を送信する二次収集者サーバ４００として予め決められているサーバに対して、それぞれ対応付けられている属性情報β１０、β１６と提供情報α１０と一次収集対価算定情報ｊとを送信するよう遠距離通信部３０４を制御する。そして、遠距離通信部３０４は、それぞれ対応付けられている属性情報β１０、β１６と提供情報α１０と一次収集対価算定情報ｊとを二次収集者サーバ４００に送信する。
【００５７】
（ステップＳＴ１７）
二次収集者サーバ４００の遠隔通信部４０３は、一次収集者端末３００から、属性情報β１０、β１６と提供情報α１０と一次収集対価算定情報ｊとを受信すると、二次収集部４１１に出力する。この二次収集者４１１は、入力する属性情報β１０、β１６と提供情報α１０と一次収集対価算定情報ｊとをそれぞれを対応付けて、記憶部４０５に格納する。
【００５８】
（ステップＳＴ１８）
一方、情報提供者サーバ１００の情報提供者Ａは、事前に、二次収集者サーバ４００に対して、情報提供者Ａがほしい属性情報βの要求属性条件を登録しておく。例えば、○○ハンバーガーショップである情報提供者Ａは、東京都２３区内において、提供情報α１０を配信した回数が多いエリアの上位１０位までのエリア名と、各エリア内での配信数とを要求属性条件として予め登録している。そして、この情報提供者サーバ１００の登録部１１２が、入力した要求属性条件を示す要求属性条件情報Ｚを二次収集者サーバ４００に送信する。
【００５９】
（ステップＳＴ１９）
二次収集者サーバ４００の遠距離通信部４０３は、情報提供者サーバ１００から要求属性条件情報Ｚを受信すると、二次収集部４１１に出力する。この二次収集者４１１は、入力する要求属性条件情報Ｚを記憶部４０５に格納する。なお、遠距離通信部４０３は、要求属性条件情報Ｚを受信した場合、送信元である情報提供者サーバ１００を示す情報を取得し、二次収集者４１１に出力する。二次収集者４１１は、この情報提供者サーバ１００を示す情報と、要求属性条件情報Ｚとを対応付けて記憶部４０５に格納する。
【００６０】
（ステップＳＴ２０）
次いで、二次収集者サーバ４００の統計部４１２は、予め決められた二次収集タイミングに到達したか否かを判定する。この統計部４１２は、例えば、予め決められた時刻に到達した場合、二次収集タイミングに到達したと判定する。
（ステップＳＴ２１）
そして、統計部４１２は、二次収集タイミングに到達したと判定した場合、記憶部４０５を参照して、統計処理を実行する。例えば、統計部４１２は、予め決められたエリア毎に、提供情報α１０が配信された数が多い順番を算出する。この統計データとして、例えば、統計部４１２は、１位‐渋谷エリア（６５０）、２位−新宿エリア（６００）、３位−銀座エリア（５６０）・・・１０位−品川エリア（１２０）を示す情報を得る。なお、カッコ内の数字は、各エリアにおいて要求者Ｂに提供情報α１０が配信された回数である。また、統計部４１２は、予め決められた時間帯毎に、提供情報α１０が配信された数が多い順番を算出する。この統計データとして、例えば、統計部４１２は、１位‐１９〜２０時（７８０）、２位−２０〜２１時（６９０）、３位−１７〜１８時（５５０）・・・１０位−１１〜１２時（９０）を示す情報を得る。なお、カッコ内の数字は、各時間帯において要求者Ｂに提供情報α１０が配信された回数である。
【００６１】
（ステップＳＴ２２）
次いで、要求属性情報作成部４１３は、統計処理をした提供情報α１０に対応する要求属性条件情報Ｚが記憶部４０５に登録されているか否かを判定する。本実施形態において、記憶部４０５には、情報提供者Ａが提供する提供情報α１０と対応付けられた属性情報β１０、β１６と、情報提供者Ａの情報提供者サーバ１００を示す情報と対応付けられた要求属性条件情報Ｚが格納されている。
（ステップＳＴ２３）
統計処理をした提供情報α１０に対応する要求属性条件情報Ｚが記憶部４０５に登録されている場合、要求属性情報作成部４１３は、この要求属性条件情報Ｚが示す条件に従って、統計データに基づき、要求属性情報γ１０を作成する。なお、本実施形態において、要求属性条件情報Ｚは、東京都２３区内において、提供情報α１０を配信した回数が多いエリアの上位１０位までのエリア名と、各エリア内での配信数とを示す情報である。よって、要求属性情報作成部４１３は、統計部４１２による統計データから、１位‐渋谷エリア（６５０）、２位−新宿エリア（６００）、３位−銀座エリア（５６０）・・・１０位−品川エリア（１２０）を示す情報を取得し、この情報を要求属性情報γ１０とする。
（ステップＳＴ２４）
また、二次収集者サーバ４００の対価算定情報作成部４１４は、予め決められている項目に基づき、二次収集対価を示す二次収集対価算定情報ｋを作成する。例えば、対価算定情報作成部４１４は、要求属性情報γ１０に基づく属性情報βの全配信数や、統計対象エリア等を示す二次収集対価算定情報ｋを作成する。そして、対価算定情報作成部４１４は、作成した二次収集対価算定情報ｋを通信制御部４０２に出力する。本実施形態において、対価算定情報作成部４１４は、東京都２３区内における配信エリアの上位１０位と各エリアの配信数を示す情報の対価の算定基準として予め決められている４ポイントを算出する。つまり、対価算定情報作成部４１４は、二次収集対価算定情報として、対価の算定基準である４ポイントを示す情報を作成する。
（ステップＳＴ２５）
そして、二次収集者サーバ４００の通信制御部４０２は、作成した要求属性情報γ１０と二次収集対価算定情報ｋとを、遠距離通信部４０３を介して情報提供者サーバ１００に送信する。
【００６２】
次に、図９を参照して、図８に示す情報収集方法の続きについて説明する。図９は、図８に示す情報収集方法の続きについて説明するためのシーケンス図である。
（ステップＳＴ２６）
次いで、情報提供者サーバ１００の制御部１０１は、二次収集者サーバ４００から送信された要求属性情報γ１０と二次収集対価算定情報ｋとを遠距離通信部１０３を介して受信し、記憶部１０５に格納する。
（ステップＳＴ２７）
そして、情報提供者サーバ１００の対価算定部１１３は、記憶部１０５に格納されている二次収集対価算定情報ｋに基づき、二次収集対価算定情報ｋに応じて予め決められている二次収集対価の額を算定する。この対価算定部１１２は、算定した二次収集対価の額を示す二次収集対価額情報Ｋを通信制御部１０２に出力する。本実施形態において、二次収集対価算定情報ｋは、４ポイントであるため、対価算定部１１３は、このポイントに応じた対価の額を算出する。
（ステップＳＴ２８）
この通信制御部１０２は、二次収集対価額情報Ｋを遠距離通信部１０３を介して二次収集者サーバ４００に送信する。
【００６３】
（ステップＳＴ２９）
二次収集者サーバ４００は、情報提供者サーバ１００から二次収集対価額情報Ｋを受信して、記憶部４０５に格納する。
（ステップＳＴ３０）
そして、二次収集者サーバ４００の対価算定部４１４は、記憶部４０５に格納されている一次対価算定情報ｊに基づき、一次対価算定情報ｊに応じて予め決められている対価の額を算定する。この対価算定部４１４は、算定した一次収集対価の額を示す一次収集対価額情報Ｊを通信制御部４０２に出力する。本実施形態において、一次収集対価算定情報Ｊは、４ポイントであるため、対価算定部４１４は、このポイントに応じた対価の額を算出する。
（ステップＳＴ３１）
この通信制御部４０２は、一次収集対価額情報Ｊを遠距離通信部４０３を介して一次収集者端末３００に送信する。
【００６４】
（ステップＳＴ３２）
一次収集者端末３００は、二次収集者サーバ４００から一次収集対価額情報Ｊを受信して、記憶部３０８に格納する。
（ステップＳＴ３３）
そして、一次収集者端末３００は、一次収集対価額情報Ｊに基づき、精算処理する。
（ステップＳＴ３４）
また、二次収集者サーバ４００は、二次収集対価額情報Ｋに基づき、精算処理する。
【００６５】
このように、一次収集者端末３００が要求者端末２００に対して、要求者Ｂが要求する提供情報αを配信するとともに、配信の際の属性情報βを収集し二次収集者サーバ４００に送信する。また、二次収集者サーバ４００は、一次収集者端末３００からの属性情報βに基づき、統計データが示す属性情報βの傾向を示す情報を情報提供者Ａの要求に応じて情報提供者サーバ１００に送信する。
これにより、情報提供者Ａは、属性情報のうち、要求する情報を容易に取得することができる。また、情報提供者サーバ１００が属性情報の処理を実行する必要がないため、情報提供者サーバ１００の処理負荷が低減する。さらに、二次収集者サーバ４００から属性情報βを受信するのではなく、統計データに基づく要求属性情報γを受信することにより、情報提供者サーバ１００と二次収集者サーバ４００との間における通信量を低減することができる。さらにまた、二次収集者サーバ４００が属性情報βをそのまま情報提供者サーバ１００に送信するのではなく、情報提供者Ａのニーズに応じた情報に加工した情報を提供することができるため、二次収集者サーバ４００は提供する情報の価値に相当する対価を報酬として受け取ることができる。
【００６６】
また、上述の通り、一次収集者端末３００は、要求者端末２００が要求する提供情報の条件を示す要求条件情報Ｘと、自身が提供可能な提供情報を示す提供条件情報Ｙとを比較して、要求条件情報Ｘに対応する提供情報αを保持していた場合に、当該提供情報αを要求者端末２００に配信する。これにより、要求者端末２００は、予め登録している要求条件を満たす提供情報の提供を受けることができる。
【００６７】
なお、本実施形態に係る情報収集システムにおいて、一次収集者端末３００と、二次収集者サーバ４００とは、それぞれ異なる装置であると説明したが、本発明はこれに限られず、一次収集者端末３００の機能と、二次収集者サーバ４００の機能の両方を備える収集者装置により構成されるものであってもよい。この場合、収集装置は、少なくとも、一次収集者端末３００の近距離通信部３０３および属性情報取得部３１３と、二次収集者サーバ４００の要求属性情報作成部４１３とを備えることが好ましい。
【００６８】
なお、本実施の形態の情報提供者サーバ１００、要求者端末２００、一次収集者端末３００、および二次収集者サーバ４００は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００６９】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００７１】
１００…情報提供者サーバ、１０１…制御部、１０２…通信制御部、１０３…遠距離通信部、１０４…入力部、１０５…記憶部、１１１…提供情報配信部、１１２…登録部、１１３…対価算定部、２００…要求者端末、２０１…制御部、２０２…通信制御部、２０３…近距離通信部、２０５…電源制御部、２０６…電源、２０７…タッチパネル、２０８…記憶部、２１１…登録部、２１２…属性情報取得部、３００…一次収集者端末、３０１…制御部、３０２…通信制御部、３０３…近距離通信部、３０４…遠距離通信部、３０５…電源制御部、３０６…電源、３０７…タッチパネル、３０８…記憶部、３１１…登録部、３１２…判定部、３１３…属性情報取得部、３１４…対価算定情報作成部、３１５…一次収集部、３９１…位置情報取得部、３９２…計時部、３９３…温度センサ、３９４…湿度センサ、３９５…紫外線センサ、４００…二次収集者サーバ、４０１…制御部、４０２…通信制御部、４０３…遠距離通信部、４０４…入力部、４０５…記憶部、４１１…二次収集部、４１２…統計部、４１３…要求属性情報作成部、４１４…対価算定情報作成部、４１５…対価算定部
【図１】
2013015938.tif 000003
【図２】
2013015938.tif 000004
【図３】
2013015938.tif 000005
【図４】
2013015938.tif 000006
【図５】
2013015938.tif 000007
【図６】
2013015938.tif 000008
【図７】
2013015938.tif 000009
【図８】
2013015938.tif 000010
【図９】
2013015938.tif 000011